(57)【要約】  本発明に係る移動通信方法は、移動局ＵＥにおける下りリンクデータ信号の受信周期を連続受信周期から間欠受信周期に変更するように決定する工程と、上述の決定結果に応じて移動局ＵＥに対して割り当てられている上りリンク用個別リソースを解放する工程と、上りリンクデータ信号又は下りリンクデータ信号の送信を再開する場合に、無線基地局ｅＮＢと移動局ＵＥとの間の上りリンク又は下りリンクにおける同期を確立し、上りリンク用個別リソースを設定する工程とを有する。
2008133306.tif 000002
【特許請求の範囲】
【請求項１】
移動局が、上りリンク用個別リソースを用いて無線基地局に対して制御信号を送信する移動通信方法であって、
前記移動局における下りリンクデータ信号の受信周期を連続受信周期から間欠受信周期に変更するように決定する工程と、
前記決定結果に応じて、前記移動局に対して割り当てられている前記上りリンク用個別リソースを解放する工程と、
上りリンクデータ信号又は下りリンクデータ信号の送信を再開する場合に、前記無線基地局と前記移動局との間の上りリンク又は下りリンクにおける同期を確立し、前記上りリンク用個別リソースを設定する工程とを有することを特徴とする移動通信方法。
【請求項２】
移動局が、上りリンク用個別リソースを用いて無線基地局に対して制御信号を送信する移動通信方法であって、
前記移動局における下りリンクデータ信号の受信周期を、第１の間欠受信周期から前記第１の間欠受信周期よりも長い第２の間欠受信周期に変更するように決定する工程と、
前記決定結果に応じて、前記移動局に対して割り当てられている前記上りリンク用個別リソースを解放する工程と、
上りリンクデータ信号又は下りリンクデータ信号の送信を再開する場合に、前記無線基地局と前記移動局との間の上りリンク又は下りリンクにおける同期を確立し、前記上りリンク用個別リソースを設定する工程とを有することを特徴とする移動通信方法。
【請求項３】
上りリンク用個別リソースを用いて移動局からの制御信号を受信する無線基地局であって、
前記移動局における下りリンクデータ信号の受信周期を制御するように構成されている受信周期制御部と、
前記移動局における下りリンクデータ信号の受信周期を連続受信周期から間欠受信周期に変更するように決定した場合に、該移動局に対して割り当てられている前記上りリンク用個別リソースを解放するように構成されている上りリンク受信部と、
上りリンクデータ信号又は下りリンクデータ信号の送信を再開する場合に、前記無線基地局と前記移動局との間の上りリンク又は下りリンクにおける同期を確立し、前記上りリンク用個別リソースを設定するように構成されている同期確立部とを具備することを特徴とする無線基地局。
【請求項４】
上りリンク用個別リソースを用いて移動局からの制御信号を受信する無線基地局であって、  前記移動局における下りリンクデータ信号の受信周期を制御するように構成されている受信周期制御部と、
前記移動局における下りリンクデータ信号の受信周期を、第１の間欠受信周期から前記第１の間欠受信周期よりも長い第２の間欠受信周期に変更するように決定した場合に、該移動局に対して割り当てられている前記上りリンク用個別リソースを解放するように構成されている上りリンク受信部と、
上りリンクデータ信号又は下りリンクデータ信号の送信を再開する場合に、前記無線基地局と前記移動局との間の上りリンク又は下りリンクにおける同期を確立し、前記上りリンク用個別リソースを設定するように構成されている同期確立部とを具備することを特徴とする無線基地局。
【請求項５】
上りリンク用個別リソースを用いて無線基地局に対して制御信号を送信する移動局であって、
前記移動局における下りリンクデータ信号の受信周期を制御するように構成されている受信周期制御部と、
前記移動局における下りリンクデータ信号の受信周期を連続受信周期から間欠受信周期に変更するように決定した場合に、該移動局に対して割り当てられている前記上りリンク用個別リソースを解放するように構成されている上りリンク送信部と、
上りリンクデータ信号の送信を再開する場合に、前記無線基地局と前記移動局との間の上りリンクにおける同期を確立し、前記上りリンク用個別リソースを設定するように構成されている同期確立部とを具備することを特徴とする移動局。
【請求項６】
上りリンク用個別リソースを用いて無線基地局に対して制御信号を送信する移動局であって、
前記移動局における下りリンクデータ信号の受信周期を制御するように構成されている受信周期制御部と、
前記移動局における下りリンクデータ信号の受信周期を、第１の間欠受信周期から前記第１の間欠受信周期よりも長い第２の間欠受信周期に変更するように決定した場合に、該移動局に対して割り当てられている前記上りリンク用個別リソースを解放するように構成されている上りリンク送信部と、
上りリンクデータ信号の送信を再開する場合に、前記無線基地局と前記移動局との間の上りリンクにおける同期を確立し、前記上りリンク用個別リソースを設定するように構成されている同期確立部とを具備することを特徴とする移動局。
【請求項７】
上りリンク用個別リソースを用いて送信する制御信号を生成するプロセッサであって、  
下りリンクデータ信号の受信周期を制御し、
前記下りリンクデータ信号の受信周期を連続受信周期から間欠受信周期に変更するように決定した場合に、割り当てられている前記上りリンク用個別リソースを解放し、
上りリンクデータ信号の送信を再開する場合に、上りリンクにおける同期を確立し、前記上りリンク用個別リソースを設定するように構成されていることを特徴とするプロセッサ。
【請求項８】
上りリンク用個別リソースを用いて送信する制御信号を生成するプロセッサであって、
下りリンクデータ信号の受信周期を制御し、
前記下りリンクデータ信号の受信周期を、第１の間欠受信周期から前記第１の間欠受信周期よりも長い第２の間欠受信周期に変更するように決定した場合に、割り当てられている前記上りリンク用個別リソースを解放し、
上りリンクデータ信号の送信を再開する場合に、上りリンクにおける同期を確立し、前記上りリンク用個別リソースを設定するように構成されていることを特徴とするプロセッサ。
【発明の詳細な説明】
【技術分野】
【０００１】
本発明は、移動局が、上りリンク用個別リソースを用いて無線基地局に対して制御信号を送信する移動通信方法、無線基地局、移動局及びプロセッサに関する。
【背景技術】
【０００２】
近年、３ＧＰＰで標準化が進められている「ＬＴＥ（Ｌｏｎｇ  Ｔｅｒｍ  Ｅｖｏｌｕｔｉｏｎ）」等の無線アクセス方式では、無線基地局ｅＮＢにおける各移動局ＵＥからの信号の受信タイミング差が一定（無線サブフレーム内の各情報シンボルに付与されるＣｙｃｌｉｃ  ｐｒｅｆｉｘ長）以内であれば、各移動局ＵＥからの信号が直交するように構成されている。【０００３】
このため、各移動局ＵＥからの信号の直交性を保つために、すなわち、無線基地局ｅＮＢにおける各移動局ＵＥからの信号の受信タイミング差を一定以内とするために、無線基地局ｅＮＢは、各移動局ＵＥからの信号の受信タイミングの基準受信タイミングからのオフセットを測定し、測定したオフセットを各移動局ＵＥに通知することによって、各移動局ＵＥにおける信号の送信タイミングを補正する必要がある。【０００４】
図１に、かかる動作の一例について説明する。図１に示すように、ステップＳ１００１において、移動局ＵＥが、無線基地局ｅＮＢとの間で設定されている上りリンク用個別リソース（例えば、ＰＵＣＣＨ：Ｐｈｙｓｉｃａｌ  Ｕｐｌｉｎｋ  Ｃｏｎｔｒｏｌ  Ｃｈａｎｎｅｌ）を用いて、制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）を送信する（非特許文献１参照）。【０００５】
ステップＳ１００２において、無線基地局ｅＮＢが、受信した制御信号の受信タイミングの基準受信タイミングからのオフセットを測定する。【０００６】
ステップＳ１００３において、無線基地局ｅＮＢが、移動局ＵＥに対して、ＭＡＣ-ｃｏｎｔｒｏｌ-ＰＤＵとして、かかる測定結果を通知するためのＴＡ（Ｔｉｍｉｎｇ  Ａｄｖａｎｃｅ）コマンドを送信する。【０００７】
ステップＳ１００４において、移動局ＵＥが、受信したＴＡコマンドによって通知された測定結果に応じて、上りリンクデータ信号（例えば、ユーザデータ信号）の送信タイミングを調整する。
【非特許文献１】３ＧＰＰ  ＴＳＧ  ＲＡＮ  ＷＧ１  Ｍｅｅｔｉｎｇ  ＃４７ｂｉｓ  Ｒ１-０７０１０６、２００７年１月１５日
【発明の開示】
【０００８】
しかしながら、ＬＴＥ等の無線アクセス方式では、移動局ＵＥにおける消費電力を節約するために、ＤＲＸ（Ｄｉｓｃｏｎｔｉｎｕｏｕｓ  Ｒｅｃｅｐｔｉｏｎ：間欠受信）技術が用いられるように構成されている。
【０００９】
ここで、図２（ａ）のように、移動局ＵＥにおける受信周期が、連続受信（Ｃｏｎｔｉｎｕｏｕｓ  Ｒｅｃｅｐｔｉｏｎ）周期である場合には、当該移動局ＵＥは、無線基地局ｅＮＢから送信されたＴＡコマンドを常時受信することができるが、図２（ｂ）のように、当該移動局ＵＥにおける下りリンクデータ信号の受信周期が、ＤＲＸ周期である場合には、当該移動局ＵＥは、非受信期間（下りリンクデータ信号を受信しないように規定されている期間）において、無線基地局ｅＮＢから送信されたＴＡコマンドを受信することができない。
【００１０】
したがって、非受信期間中に、上りリンクにおける同期外れ状態が発生しているにも関らず、当該移動局ＵＥは、かかる状態を検出して、上りリンクデータ信号の送信タイミングを調整することができない。
【００１１】
その結果、当該移動局ＵＥは、無線基地局ｅＮＢとの間で設定されている上りリンク用共有リソース（例えば、ＵＬ-ＳＣＨ：Ｕｐｌｉｎｋ  Ｓｈａｒｅｄ  Ｃｈａｎｎｅｌ）を用いて、上りリンクデータ信号（例えば、ＨＡＲＱプロセスにおける送達確認信号であるＡＣＫ/ＮＡＣＫ）を送信してしまい、他の移動局ＵＥにより送信される信号に対する干渉源となってしまうという問題点があった。
【００１２】
そこで、本発明は、上述の課題に鑑みてなされたものであり、移動局においてＤＲＸ技術が用いられる場合であっても、他の移動局により送信される信号に対して干渉源となることを回避することができる移動通信方法、無線基地局、移動局及びプロセッサを提供することを目的とする。
【００１３】
本発明の第１の特徴は、移動局が、上りリンク用個別リソースを用いて無線基地局に対して制御信号を送信する移動通信方法であって、前記移動局における下りリンクデータ信号の受信周期を、連続受信周期から間欠受信周期に変更するように決定する工程と、前記決定結果に応じて、前記移動局に対して割り当てられている前記上りリンク用個別リソースを解放する工程と、上りリンクデータ信号又は下りリンクデータ信号の送信を再開する場合に、前記無線基地局と前記移動局との間の上りリンク又は下りリンクにおける同期を確立し、前記上りリンク用個別リソースを設定する工程とを有することを要旨とする。  本発明の第２の特徴は、移動局が、上りリンク用個別リソースを用いて無線基地局に対して制御信号を送信する移動通信方法であって、前記移動局における下りリンクデータ信号の受信周期を、第１の間欠受信周期から第２の間欠受信周期に変更するように決定する工程と、前記決定結果に応じて、前記移動局に対して割り当てられている前記上りリンク用個別リソースを解放する工程と、上りリンクデータ信号又は下りリンクデータ信号の送信を再開する場合に、前記無線基地局と前記移動局との間の上りリンク又は下りリンクにおける同期を確立し、前記上りリンク用個別リソースを設定する工程とを有し、前記第１の間欠受信周期よりも、前記第２の間欠受信周期の方が長いことを要旨とする。
【００１４】
本発明の第３の特徴は、上りリンク用個別リソースを用いて移動局からの制御信号を受信する無線基地局であって、前記移動局における下りリンクデータ信号の受信周期を制御するように構成されている受信周期制御部と、前記移動局における記下りリンクデータ信号の受信周期を連続受信周期から間欠受信周期に変更するように決定した場合に、該移動局に対して割り当てられている前記上りリンク用個別リソースを解放するように構成されている上りリンク受信部と、上りリンクデータ信号又は下りリンクデータ信号の送信を再開する場合に、前記無線基地局と前記移動局との間の上りリンク又は下りリンクにおける同期を確立し、前記上りリンク用個別リソースを設定するように構成されている同期確立部とを具備することを要旨とする。
【００１５】
本発明の第４の特徴は、上りリンク用個別リソースを用いて移動局からの制御信号を受信する無線基地局であって、前記移動局における下りリンクデータ信号の受信周期を制御するように構成されている受信周期制御部と、前記移動局における下りリンクデータ信号の受信周期を第１の間欠受信周期から第２の間欠受信周期に変更するように決定した場合に、該移動局に対して割り当てられている前記上りリンク用個別リソースを解放するように構成されている上りリンク受信部と、上りリンクデータ信号又は下りリンクデータ信号の送信を再開する場合に、前記無線基地局と前記移動局との間の上りリンク又は下りリンクにおける同期を確立し、前記上りリンク用個別リソースを設定するように構成されている同期確立部とを具備し、  前記第１の間欠受信周期よりも、前記第２の間欠受信周期の方が長いことを要旨とする。
【００１６】
本発明の第５の特徴は、上りリンク用個別リソースを用いて無線基地局に対して制御信号を送信する移動局であって、前記移動局における下りリンクデータ信号の受信周期を制御するように構成されている受信周期制御部と、前記移動局における記下りリンクデータ信号の受信周期を連続受信周期から間欠受信周期に変更するように決定した場合に、該移動局に対して割り当てられている前記上りリンク用個別リソースを解放するように構成されている上りリンク送信部と、上りリンクデータ信号の送信を再開する場合に、前記無線基地局と前記移動局との間の上りリンクにおける同期を確立し、前記上りリンク用個別リソースを設定するように構成されている同期確立部とを具備することを要旨とする。
【００１７】
本発明の第６の特徴は、上りリンク用個別リソースを用いて無線基地局に対して制御信号を送信する移動局であって、前記移動局における下りリンクデータ信号の受信周期を制御するように構成されている受信周期制御部と、前記移動局における下りリンクデータ信号の受信周期を第１の間欠受信周期から第２の間欠受信周期に変更するように決定した場合に、該移動局に対して割り当てられている前記上りリンク用個別リソースを解放するように構成されている上りリンク送信部と、上りリンクデータ信号の送信を再開する場合に、前記無線基地局と前記移動局との間の上りリンクにおける同期を確立し、前記上りリンク用個別リソースを設定するように構成されている同期確立部とを具備し、前記第１の間欠受信周期よりも、前記第２の間欠受信周期の方が長いことを要旨とする。
【００１８】
本発明の第７の特徴は、上りリンク用個別リソースを用いて送信する制御信号を生成するプロセッサであって、下りリンクデータ信号の受信周期を制御し、前記下りリンクデータ信号の受信周期を連続受信周期から間欠受信周期に変更するように決定した場合に、割り当てられている前記上りリンク用個別リソースを解放し、上りリンクデータ信号の送信を再開する場合に、上りリンクにおける同期を確立し、前記上りリンク用個別リソースを設定するように構成されていることを要旨とする。
【００１９】
本発明の第８の特徴は、上りリンク用個別リソースを用いて送信する制御信号を生成するプロセッサであって、下りリンクデータ信号の受信周期を制御し、前記下りリンクデータ信号の受信周期を第１の間欠受信周期から第２の間欠受信周期に変更するように決定した場合に、割り当てられている前記上りリンク用個別リソースを解放し、上りリンクデータ信号の送信を再開する場合に、上りリンクにおける同期を確立し、前記上りリンク用個別リソースを設定するように構成されており、前記第１の間欠受信周期よりも、前記第２の間欠受信周期の方が長いことを要旨とする。
【００２０】
以上説明したように、本発明によれば、移動局においてＤＲＸ技術が用いられる場合であっても、他の移動局により送信される信号に対して干渉源となることを回避することができる移動通信方法、無線基地局、移動局及びプロセッサを提供することができる。
【図面の簡単な説明】
【００２１】
【図１】図１は、従来の移動通信システムにおける無線基地局と移動局との間の上りリンクにおける同期維持手順を説明するための図である。
【図２】図２は、従来の移動通信システムにおける問題点を説明するための図である。
【図３】図３は、本発明の第１の実施形態に係る移動通信システムの全体構成図である。
【図４】図４は、本発明の第１の実施形態に係る移動局の機能ブロック図である。
【図５】図５は、本発明の第１の実施形態に係る無線機地局の機能ブロック図である。
【図６】図６は、本発明の第１の実施形態に係る移動通信システムの動作を示すフローチャートである。
【図７】図７は、本発明の第１の実施形態に係る移動通信システムにおける下りリンクデータ信号の送信再開手順の一例を示す図である。
【図８】図８は、本発明の第１の実施形態に係る移動通信システムにおける上りリンクデータ信号の送信再開手順の一例を示す図である。
【図９】図９は、本発明の実施形態に係る移動局のハードウエア構成の一例を示す図である。
【発明を実施するための最良の形態】
【００２２】
（本発明の第１の実施形態に係る移動通信システムの構成）
図３乃至図６を参照して、本発明の第１の実施形態に係る移動通信システムの構成について説明する。【００２３】
本実施形態に係る移動通信システムは、図３に示すように、無線基地局ｅＮＢと、移動局ＵＥとを具備している。【００２４】
無線基地局ｅＮＢは、上りリンク用個別リソース（例えば、ＰＵＣＣＨ）を用いて、移動局ＵＥからの制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）を受信するように構成されている。【００２５】
例えば、上りリンク用個別リソースは、複数の物理チャネルによって構成されていてもよい。かかる場合、無線基地局ｅＮＢは、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔを、それぞれ、別々の物理チャネルを用いて受信するように構成されていてもよい。【００２６】
また、無線基地局ｅＮＢは、上りリンク用共有リソース（例えば、ＵＬ-ＳＣＨ）を用いて、移動局ＵＥからの上りリンクデータ信号（例えば、ユーザデータ信号）を受信し、下りリンク用共有リソース（例えば、ＤＬ-ＳＣＨ：Ｄｏｗｎｌｉｎｋ  Ｓｈａｒｅｄ  Ｃｈａｎｎｅｌ）を用いて、移動局ＵＥに対して下りリンクデータ信号（例えば、ユーザデータ信号）を送信するように構成されている。【００２７】
移動局ＵＥは、上りリンク用共有リソース（例えば、ＵＬ-ＳＣＨ）を用いて、無線基地局ｅＮＢに対する上りリンクデータ信号（例えば、ユーザデータ信号）を送信し、上りリンク用個別リソース（例えば、ＰＵＣＣＨ）を用いて、無線基地局ｅＮＢに対する制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）を送信するように構成されている。【００２８】
例えば、上りリンク用個別リソースが、複数の物理チャネルによって構成されている場合、移動局ＵＥは、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔを、それぞれ、別々の物理チャネルを用いて送信するように構成されていてもよい。【００２９】
また、移動局ＵＥは、下りリンク用共有リソース（例えば、ＤＬ-ＳＣＨ）を用いて、無線基地局ｅＮＢからの下りリンクデータ信号（例えば、ユーザデータ信号）を受信するように構成されている。【００３０】
図４に示すように、本実施形態に係る移動局ＵＥは、下りリンク受信部１１と、監視部１２と、変更指示受信部１３と、上りリンク送信部１４と、同期確立部１５と、受信周期制御部１６とを具備している。【００３１】
下りリンク受信部１１は、下りリンク用共有リソース（例えば、ＤＬ-ＳＣＨ）を介して、無線基地局ｅＮＢから送信された下りリンクデータ信号（例えば、ユーザデータ信号）を受信するように構成されている。【００３２】
監視部１２は、移動局ＵＥにおける下りリンクデータ信号の受信周期が、ＤＲＸ周期である場合に、下りリンクデータ信号を受信するように規定されている受信期間において、下りリンク用制御チャネル（例えば、Ｌ１/Ｌ２  Ｃｏｎｔｒｏｌ  Ｃｈａｎｎｅｌ）を介して、当該移動局ＵＥ宛ての下りリンクデータ信号が存在することを通知するメッセージが存在するか否かについて監視するように構成されている。【００３３】
なお、かかる受信期間は、例えば、ＲＲＣシグナリングによって設定されるように構成されている。また、受信期間は、無線フレームを構成する１つのサブフレーム期間に対応してもよいし、複数のサブフレーム期間に対応してもよい。【００３４】
変更指示受信部１３は、移動局ＵＥにおける下りリンクデータ信号の受信周期を、連続受信周期から第１のＤＲＸ周期（Ｓｈｏｒｔ-ＤＲＸ周期）に変更するように指示する変更指示、或いは、第１のＤＲＸ周期（Ｓｈｏｒｔ-ＤＲＸ周期）から第２のＤＲＸ周期（Ｌｏｎｇ-ＤＲＸ周期）に変更するように指示する変更指示を受信するように構成されている。【００３５】
ここで、第１のＤＲＸ周期よりも、第２のＤＲＸ周期の方が長いものとする。【００３６】
例えば、かかる変更指示は、無線基地局ｅＮＢから、ＭＡＣシグナリングによって通知されるように構成されていてもよい。【００３７】
上りリンク送信部１４は、上りリンク用共有リソース（例えば、ＵＬ-ＳＣＨ）を介して、無線基地局ｅＮＢに対して上りリンクデータ信号（例えば、ユーザデータ信号）を送信するように構成されている。【００３８】
上りリンク送信部１４は、上りリンク用個別リソース（例えば、ＰＵＣＣＨ）を介して、無線基地局ｅＮＢに対して制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）を送信するように構成されている。【００３９】
また、上りリンク送信部１４は、移動局ＵＥにおける下りリンクデータ信号の受信周期が、連続受信周期から第１のＤＲＸ周期（Ｓｈｏｒｔ-ＤＲＸ周期）に変更するように決定された場合に、当該移動局ＵＥに対して割り当てられている上りリンク用個別リソース（例えば、ＰＵＣＣＨ）を解放するように構成されていてもよい。【００４０】
また、上りリンク送信部１４は、移動局における下りリンクデータ信号の受信周期が、第１のＤＲＸ周期（Ｓｈｏｒｔ-ＤＲＸ周期）から第２のＤＲＸ周期（Ｌｏｎｇ-ＤＲＸ周期）に変更するように決定された場合に、当該移動局ＵＥに対して割り当てられている上りリンク用個別リソース（例えば、ＰＵＣＣＨ）を解放するように構成されていてもよい。【００４１】
なお、上りリンク用個別リソースが、複数の物理チャネルによって構成されている場合、上りリンク送信部１４は、全ての物理チャネルを解放するように構成されている。【００４２】
同期確立部１５は、上りリンクデータ信号の送信を再開する場合に、無線基地局ｅＮＢと移動局ＵＥとの間の上りリンクにおける同期を確立し、上りリンク用個別リソースを設定するように構成されている。【００４３】
また、同期確立部１５は、下りリンクデータ信号の送信を再開する場合に、無線基地局ｅＮＢと移動局ＵＥとの間の上りリンクにおける同期を確立し、上りリンク用個別リソースを設定するように構成されている。【００４４】
受信周期制御部１６は、移動局ＵＥにおける下りリンクデータ信号の受信周期を制御するように構成されている。【００４５】
具体的には、受信周期制御部１６は、連続受信周期において、所定期間、下りリンク受信部１１によって下りリンクデータ信号が受信されない場合に、移動局ＵＥにおける下りリンクデータ信号の受信周期を、連続受信周期から第１のＤＲＸ周期（Ｓｈｏｒｔ-ＤＲＸ周期）に変更するように決定してもよい。【００４６】
また、受信周期制御部１６は、第１のＤＲＸ周期（Ｓｈｏｒｔ-ＤＲＸ周期）において、所定期間、下りリンク受信部１１によって下りリンクデータ信号が受信されない場合に、移動局ＵＥにおける下りリンクデータ信号の受信周期を、第１のＤＲＸ周期（Ｓｈｏｒｔ-ＤＲＸ周期）から第２のＤＲＸ周期（Ｌｏｎｇ-ＤＲＸ周期）に変更するように決定してもよい。【００４７】
また、受信周期制御部１６は、変更指示受信部１３によって受信された変更指示に応じて、移動局ＵＥにおける下りリンクデータ信号の受信周期を、連続受信周期から第１のＤＲＸ周期（Ｓｈｏｒｔ-ＤＲＸ周期）に、或いは、第１のＤＲＸ周期（Ｓｈｏｒｔ-ＤＲＸ周期）から第２のＤＲＸ周期（Ｌｏｎｇ-ＤＲＸ周期）に変更するように決定してもよい。【００４８】
ここで、受信周期制御部１６は、例えば、ＭＡＣシグナリングによって指定されたＤＲＸ周期（受信期間が発生する周期）によって、第１のＤＲＸ周期（Ｓｈｏｒｔ-ＤＲＸ周期）又は第２のＤＲＸ周期（Ｌｏｎｇ-ＤＲＸ周期）を開始するように構成されていてもよい。【００４９】
図５に示すように、本実施形態に係る無線基地局ｅＮＢは、上りリンク受信部２１と、下りリンク送信部２２と、変更指示送信部２３と、同期確立部２４と、通知部２５と、受信周期制御部２６とを具備している。【００５０】
上りリンク受信部２１は、上りリンク用共有リソース（例えば、ＵＬ-ＳＣＨ）を介して、移動局ＵＥから送信された上りリンクデータ信号（例えば、ユーザデータ信号）を受信するように構成されている。【００５１】
上りリンク受信部２１は、上りリンク用個別リソース（例えば、ＰＵＣＣＨ）を介して、移動局ＵＥから送信された制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）を受信するように構成されている。【００５２】
また、上りリンク受信部２１は、移動局ＵＥにおける下りリンクデータ信号の受信周期が、連続受信周期から第１のＤＲＸ周期（Ｓｈｏｒｔ-ＤＲＸ周期）に変更するように決定された場合に、当該移動局ＵＥに対して割り当てられている上りリンク用個別リソース（例えば、ＰＵＣＣＨ）を解放するように構成されていてもよい。【００５３】
また、上りリンク受信部２１は、移動局ＵＥにおける下りリンクデータ信号の受信周期が、第１のＤＲＸ周期（Ｓｈｏｒｔ-ＤＲＸ周期）から第２のＤＲＸ周期（Ｌｏｎｇ-ＤＲＸ周期）に変更するように決定された場合に、当該移動局ＵＥに対して割り当てられている上りリンク用個別リソース（例えば、ＰＵＣＣＨ）を解放するように構成されていてもよい。【００５４】
なお、上りリンク用個別リソースが、複数の物理チャネルによって構成されている場合、上りリンク受信部２１は、全ての物理チャネルを解放するように構成されている。【００５５】
下りリンク送信部２２は、下りリンク用共有リソース（例えば、ＤＬ-ＳＣＨ）を介して、移動局ＵＥに対して、下りリンクデータ信号（例えば、ユーザデータ信号）を送信するように構成されている。【００５６】
変更指示送信部２３は、受信周期制御部２６からの指示に応じて、移動局ＵＥにおける下りリンクデータ信号の受信周期を、連続受信周期から第１のＤＲＸ周期（Ｓｈｏｒｔ-ＤＲＸ周期）に変更するように指示する変更指示、或いは、第１のＤＲＸ周期（Ｓｈｏｒｔ-ＤＲＸ周期）から第２のＤＲＸ周期（Ｌｏｎｇ-ＤＲＸ周期）に変更するように指示する変更指示を送信するように構成されている。【００５７】
例えば、変更指示送信部２３は、ＭＡＣシグナリングによって、かかる変更指示を通知するように構成されている。【００５８】
同期確立部２４は、上りリンクデータ信号の送信を再開する場合に、無線基地局ｅＮＢと移動局ＵＥとの間の上りリンクにおける同期を確立し、上りリンク用個別リソースを設定するように構成されている。【００５９】
また、同期確立部２４は、下りリンクデータ信号の送信を再開する場合に、無線基地局ｅＮＢと移動局ＵＥとの間の上りリンクにおける同期を確立し、上りリンク用個別リソースを設定するように構成されている。【００６０】
通知部２５は、移動局ＵＥにおける下りリンクデータ信号の受信周期が、ＤＲＸ周期である場合に、上述の受信期間において、下りリンク用制御チャネル（例えば、Ｌ１/Ｌ２  Ｃｏｎｔｒｏｌ  Ｃｈａｎｎｅｌ）を介して、当該移動局ＵＥ宛ての下りリンクデータ信号が存在することを通知するメッセージが存在することを通知するように構成されている。【００６１】
受信周期制御部２６は、移動局ＵＥにおける下りリンクデータ信号の受信周期を制御するように構成されている。【００６２】
具体的には、受信周期制御部２６は、連続受信周期において、所定期間、下りリンク送信部２２によって下りリンクデータ信号が送信されない場合に、移動局ＵＥにおける下りリンクデータ信号の受信周期を、連続受信周期から第１のＤＲＸ周期（Ｓｈｏｒｔ-ＤＲＸ周期）に変更するように決定してもよい。【００６３】
また、受信周期制御部２６は、第１のＤＲＸ周期（Ｓｈｏｒｔ-ＤＲＸ周期）において、所定期間、下りリンク送信部２２によって下りリンクデータ信号が送信されない場合に、移動局ＵＥにおける下りリンクデータ信号の受信周期を、第１のＤＲＸ周期（Ｓｈｏｒｔ-ＤＲＸ周期）から第２のＤＲＸ周期（Ｌｏｎｇ-ＤＲＸ周期）に変更するように決定してもよい。【００６４】
なお、図４に示す移動局ＵＥ及び図５に示す無線基地局ｅＮＢを構成する機能（モジュール）の一部又は全部は、汎用プロセッサや、ＤＳＰ（Ｄｉｇｉｔａｌ  Ｓｉｇｎａｌ  Ｐｒｏｓｅｓｓｏｒ）や、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）や、ＦＰＧＡ（Ｆｉｅｌｄ  Ｐｒｏｇｒａｍｍａｂｌｅ  Ｇａｔｅ  Ａｒｒａｙ）や、ディスクリート・ゲート又はトランジスタ・ロジックや、ディスクリート・ハードウェア・コンポーネントや、これらの任意の組み合わせ等で実現されるように構成されていてもよい。【００６５】
例えば、図９に示すように、移動局ＵＥが、無線信号処理を行うＲＦ／ＩＦユニット５１と、ベースバンド信号処理を行うプロセッサ５２と、アプリケーションを実行するＭＰＵ（Ｍｉｃｒｏ Ｐｒｏｃｅｓｓｉｎｇ Ｕｎｉｔ）５３と、ＲＡＭ（Ｒａｎｄｏｍ  Ａｃｃｅｓｓ  Ｍｅｍｏｒｙ）５４と、ＲＯＭ（Ｒｅａｄ  Ｏｎｌｙ  Ｍｅｍｏｒｙ）５５とを備える場合を例に挙げて説明する。【００６６】
かかる場合、移動局ＵＥのプロセッサ５２が、汎用プロセッサや、ＤＳＰや、ＡＳＩＣや、ＦＰＧＡや、ディスクリート・ゲート又はトランジスタ・ロジックや、ディスクリート・ハードウェア・コンポーネントや、これらの任意の組み合わせ等で構成され、図４に示す移動局ＵＥを構成する機能（モジュール）の一部又は全部を実現してもよい。なお、ここでは、移動局ＵＥを例に挙げて説明したが、無線基地局ｅＮＢが、上述した構成のプロセッサによって、図５に示す無線基地局ｅＮＢを構成する機能（モジュール）の一部又は全部を実現するように構成されていてもよい。【００６７】
ここで、汎用プロセッサは、マイクロプロセッサであってもよいし、従来のプロセッサやコントローラやマイクロコントローラやステートマシンであってもよい。【００６８】
また、プロセッサは、例えば、ＤＳＰとマイクロプロセッサとの組み合わせや、複数のマイクロプロセッサの組み合わせや、１つ又は複数のマイクロプロセッサとＤＳＰコアとの組み合わせ等、任意のコンピューティングデバイスの組み合わせとして実装されていてもよい。【００６９】
（本発明の第１の実施形態に係る移動通信システムの動作）
図６乃至図８を参照して、本発明の第１の実施形態に係る移動通信システムの動作について説明する。【００７０】
図６に示すように、ステップＳ１０１において、移動局ＵＥの受信周期制御部１６が、当該移動局ＵＥの受信周期を、第１のＤＲＸ周期（Ｓｈｏｒｔ-ＤＲＸ周期）或いは第２のＤＲＸ周期（Ｌｏｎｇ-ＤＲＸ周期）に変更するように決定する。【００７１】
ステップＳ１０２において、移動局ＵＥの上りリンク送信部１４が、上述の決定結果に応じて、当該移動局ＵＥに対して割り当てられている上りリンク用個別リソースを解放する。【００７２】
ステップＳ１０３において、上りリンク用個別リソースを解放が解放されている状態で、送信すべき上りリンクデータ信号又は下りリンクデータ信号が発生すると、上りリンクデータ信号又は下りリンクデータ信号の送信再開手順が行われる。【００７３】
第１に、図７を参照して、下りリンクデータ信号の送信再開手順について説明する。  図７に示すように、ステップＳ１０３Ａにおいて、無線基地局ｅＮＢの同期確立部２４が、無線基地局ｅＮＢと移動局ＵＥとの間で上りリンクにおける同期を確立するために、移動局ＵＥに対して、「ＵＬ  ｓｙｎｃｈ  ｒｅｑｕｅｓｔ（上り同期確立要求）」を送信する。【００７４】
ステップＳ１０３Ｂにおいて、移動局ＵＥの同期確立部１５が、非同期ＲＡＣＨ（ランダムアクセスチャネル）を用いて、上述の「ＵＬ  ｓｙｎｃｈ  ｒｅｑｕｅｓｔ」によって指定されたプリアンブルを送信する。【００７５】
ここで、プリアンブルは、当該移動局ＵＥに対して個別に割り当てられたデータ系列を意味する。なお、「ＵＬ  ｓｙｎｃｈ  ｒｅｑｕｅｓｔ」は、かかるプリアンブル自身を含むのではなく、かかるプリアンブルを識別する識別子を含むように構成されていてもよい。【００７６】
また、移動局ＵＥの同期確立部１５は、上述の「ＵＬ  ｓｙｎｃｈ  ｒｅｑｕｅｓｔ」によって指定されたプリアンブルを用いる代わりに、所定のプリアンブルの中からランダムに選択したプリアンブルを用いるように構成されていてもよい。【００７７】
ステップＳ１０３Ｃにおいて、無線基地局ｅＮＢの同期確立部２４が、受信したプリアンブルの受信タイミングの基準受信タイミングからのオフセットを測定する。【００７８】
ステップＳ１０３Ｄにおいて、無線基地局ｅＮＢの同期確立部２４が、ＭＡｃ-ｃｏｎｔｒｏｌ-ＰＤＵとして、かかる測定結果を通知するためのＴＡ（Ｔｉｍｉｎｇ  Ａｄｖａｎｃｅ）コマンドを送信する。ここで、移動局ＵＥの同期確立部１５は、受信したＴＡコマンドによって通知された測定結果に応じて、上りリンクデータ信号の送信タイミングを調整する。【００７９】
その後、ステップＳ１０４において、無線基地局ｅＮＢの下りリンク送信部２２は、一定期間、移動局ＵＥからのプリアンブルを受信しなかったため、上りリンクにおける同期が確立したものと判断して、当該移動局ＵＥに対して上りリンク用個別リソース（例えば、ＰＵＣＣＨ）を割り当てると共に、当該移動局ＵＥに対して割り当てた下りリンク用共有リソース（例えば、ＤＬ-ＳＣＨ）を用いて、下りリンクデータ信号を移動局ＵＥに対して送信する。【００８０】
そして、移動局ＵＥの上りリンク送信部１４は、当該移動局ＵＥに対して割り当てられた上りリンク用個別リソースを用いて、例えば、ＣＱＩ情報を送信する。【００８１】
第２に、図８を参照して、上りリンクデータ信号の送信再開手順について説明する。【００８２】
図８に示すように、ステップＳ１０３Ｅにおいて、移動局ＵＥの同期確立部１５が、非同期ＲＡＣＨを用いて、所定のプリアンブルを送信する。【００８３】
ステップＳ１０３Ｆにおいて、無線基地局ｅＮＢの同期確立部２４が、受信したプリアンブルの受信タイミングの基準受信タイミングからのオフセットを測定する。【００８４】
ステップＳ１０３Ｇにおいて、無線基地局ｅＮＢの同期確立部２４が、上述のプリアンブルに対する応答として、かかる測定結果を通知するためのＴＡ（Ｔｉｍｉｎｇ  Ａｄｖａｎｃｅ）コマンド、及び、後述するバッファレポートを送信するために、上りリンク用共有リソースを一時的に割り当てる割当信号を送信する。【００８５】
ステップＳ１０３Ｈにおいて、移動局ＵＥの同期確立部１５は、受信したＴＡコマンドによって通知された測定結果に応じて、上りリンクデータ信号の送信タイミングを調整する。【００８６】
そして、移動局ＵＥの同期確立部１５は、調整された送信タイミングで、一時的に割り当てられた上りリンク用共有リソース（例えば、ＵＬ-ＳＣＨ）を介して、セル内の移動局ＵＥを個別に識別する識別子（Ｃ-ＲＮＴＩ：Ｃｅｌｌ−Ｒａｄｉｏ  Ｎｅｔｏｗｏｒｋ  Ｔｅｍｐｏｒａｒｙ  Ｉｄｅｎｔｉｆｉｅｒ）、及び、当該移動局ＵＥのバッファ情報を通知するためのバッファレポートを送信する。【００８７】
ステップＳ１０３Ｉにおいて、無線基地局ｅＮＢの下りリンク送信部２２は、上述のＣ-ＲＮＴＩ及びバッファレポートを受信すると、上りリンクにおける同期が確立したものと判断して、当該移動局ＵＥに対して上りリンク用個別リソース（例えば、ＰＵＣＣＨ）を割り当てるための割当信号を送信する。【００８８】
ステップＳ１０４において、移動局ＵＥの上りリンク送信部１４は、当該移動局ＵＥに対して割り当てられた上りリンク用個別リソースを用いて、制御信号を送信すると共に、当該移動局ＵＥに対して割り当てられた上りリンク用共有リソースを用いて、上りリンクデータ信号を送信する。【００８９】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。【００９０】
より一般的には、ＲＲＣ、ＲＬＣ、ＭＡＣ、ＰＨＹといった無線プロトコルをサポートしたソフトウェアをプロトコルスタック（ソフトウェア）と呼び、このソフトウェアのうち、より低位のプロトコル（例えば、ＰＨＹ、ＭＡＣ）程、半導体プロセッサとしてハードウェア化される傾向にある。特に移動局ＵＥにおいては小型化、省電力化の要求から、半導体プロセッサとしてハードウェア化する傾向にある。さらに、小型基地局（フェムトセル・ＨｏｍｅｅＮＢ）においても同様な小型化、省電力化のニーズがあることから、半導体プロセッサとしてハードウェア化されてもよい。【００９１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【００９２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。【００９３】
（本発明の第１の実施形態に係る移動通信システムの作用・効果）
本発明の第１の実施形態に係る移動通信システムによれば、移動局ＵＥの受信周期が、第１のＤＲＸ周期（Ｓｈｏｒｔ-ＤＲＸ周期）或いは第２のＤＲＸ周期（Ｌｏｎｇ-ＤＲＸ周期）に変更される前に、上りリンク用個別リソースが解放されるように構成されているために、当該移動局ＵＥが、非受信周期においてＴＡコマンドを受信できないことから、上りリンクにおいて同期外れが発生したにも関らず、上りリンクデータ信号を送信してしまうという事態を回避することができる。【００９４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。【００９５】
なお、日本国特許出願第２００７−１１４９００号（２００７年４月２４日出願）の全内容が、参照により、本願明細書に組み込まれている。
【産業上の利用の可能性】
【００９６】
以上説明したように、本発明に係る移動通信方法、無線基地局、移動局及びプロセッサは、移動局においてＤＲＸ技術が用いられる場合であっても、他の移動局により送信される信号に対して干渉源となることを回避することができるので、移動通信などの無線通信において有用である。
【図１】
2008133306.tif 000003
【図２】
2008133306.tif 000004
【図３】
2008133306.tif 000005
【図４】
2008133306.tif 000006
【図５】
2008133306.tif 000007
【図６】
2008133306.tif 000008
【図７】
2008133306.tif 000009
【図８】
2008133306.tif 000010
【図９】
2008133306.tif 000011
【手続補正書】
【提出日】平成22年2月24日(2010.2.24)
【手続補正１】
【補正対象書類名】明細書
【補正対象項目名】００７２
【補正方法】変更
【補正の内容】
【００７２】
ステップＳ１０３において、上りリンク用個別リソースが解放されている状態で、送信すべき上りリンクデータ信号又は下りリンクデータ信号が発生すると、上りリンクデータ信号又は下りリンクデータ信号の送信再開手順が行われる。
【手続補正２】
【補正対象書類名】明細書
【補正対象項目名】００７８
【補正方法】変更
【補正の内容】
【００７８】
ステップＳ１０３Ｄにおいて、無線基地局ｅＮＢの同期確立部２４が、ＭＡＣ‐ｃｏｎｔｒｏｌ‐ＰＤＵとして、かかる測定結果を通知するためのＴＡ（Ｔｉｍｉｎｇ  Ａｄｖａｎｃｅ）コマンドを送信する。ここで、移動局ＵＥの同期確立部１５は、受信したＴＡコマンドによって通知された測定結果に応じて、上りリンクデータ信号の送信タイミングを調整する。
【手続補正３】
【補正対象書類名】明細書
【補正対象項目名】００８６
【補正方法】変更
【補正の内容】
【００８６】
そして、移動局ＵＥの同期確立部１５は、調整された送信タイミングで、一時的に割り当てられた上りリンク用共有リソース（例えば、ＵＬ‐ＳＣＨ）を介して、セル内の移動局ＵＥを個別に識別する識別子（Ｃ‐ＲＮＴＩ：Ｃｅｌｌ−Ｒａｄｉｏ  Ｎｅｔｗｏｒｋ  Ｔｅｍｐｏｒａｒｙ  Ｉｄｅｎｔｉｆｉｅｒ）、及び、当該移動局ＵＥのバッファ情報を通知するためのバッファレポートを送信する。
【手続補正４】
【補正対象書類名】明細書
【補正対象項目名】００９３
【補正方法】変更
【補正の内容】
【００９３】
（本発明の第１の実施形態に係る移動通信システムの作用・効果）
本発明の第１の実施形態に係る移動通信システムによれば、移動局ＵＥの受信周期が、第１のＤＲＸ周期（Ｓｈｏｒｔ‐ＤＲＸ周期）或いは第２のＤＲＸ周期（Ｌｏｎｇ‐ＤＲＸ周期）に変更される前に、上りリンク用個別リソースが解放されるように構成されているために、当該移動局ＵＥが、非受信期間においてＴＡコマンドを受信できないことから、上りリンクにおいて同期外れが発生したにも関らず、上りリンクデータ信号を送信してしまうという事態を回避することができる。
【国際調査報告】
2008133306.tif 000012
2008133306.tif 000013
2008133306.tif 000014